(57)【要約】【課題】  内面塗装鋼管を溶接等で加熱した場合に発生する溶融塗装材を下流側のガス供給に影響しない活管状態で除去する。【解決手段】  内面塗装鋼管を用いたガス導管１に対して、工事箇所Ｗで加熱を伴う工事が成されている場合に、この工事箇所Ｗの下流側（矢印がガスの流れる方向を示している）に付設されている路線バルブ１Ｖを開放し、路線バルブ１Ｖの開放口から、開放口を塞ぎながら溶融塗装材を捕集する捕集用治具を挿入することで、内面塗装鋼管内に流出する溶融塗装材を除去する。【選択図】図２
2006326533.tif 000002
【特許請求の範囲】
【請求項１】
内面塗装鋼管内に流出する溶融塗装材を除去する方法であって、
前記内面塗装鋼管を用いたガス導管に対する加熱工事に際して、該加熱工事が行われている箇所の下流側に付設されている路線バルブを開放し、該路線バルブの開放口から、該開放口を塞ぎながら前記溶融塗装材を捕集する捕集用治具を挿入することを特徴とする内面塗装鋼管における溶融塗装材除去方法。
【請求項２】
前記捕集用治具は、静電吸着によって前記溶融塗装材を吸着除去することを特徴とする請求項１に記載された内面塗装鋼管における溶融塗装材除去方法。
【請求項３】
前記捕集用治具は、前記開放口から挿入される時には前記開放口を通過するように線状に変形可能であり、挿入後に前記ガス導管の内面に沿って拡がるように変形可能である捕集ネットからなることを特徴とする請求項１又は２に記載された内面塗装鋼管における溶融塗装材除去方法。
【請求項４】
内面塗装鋼管内に流出する溶融塗装材を除去する治具であって、
前記内面塗装鋼管を用いたガス導管に付設される路線バルブの開放口から挿入可能な挿入支持部材と、先端側が前記挿入支持部材の先端に支持され、他端側が前記挿入支持部材に沿って摺動可能なネット支持部材と、該ネット支持部材に周囲が支持された捕集ネットとを備え、
前記ネット支持部材は、前記開放口から前記捕集ネットが挿入される時に前記開放口を通過するように前記挿入支持部材に沿って線状に変形可能であり、挿入後に前記ガス導管の内面に沿って拡がるように変形可能であることを特徴とする内面塗装鋼管における溶融塗装材除去治具。
【請求項５】
前記挿入支持部材は、前記開放口に挿通可能な筒状挿入支持部材と、該筒状挿入支持部材内を摺動可能な棒状挿入支持部材からなり、
前記ネット支持部材は、一対の弾性変形可能な線状部材からなり、突出した前記棒状挿入支持部材の先端に一端側が支持され、他端側が前記筒状挿入支持部材に支持されて、
前記挿入支持部材の前記開放口外に突出する端部には、前記棒状挿入支持部材に対して前記筒状挿入支持部材を摺動操作する操作部が設けられることを特徴とする請求項４に記載された内面塗装鋼管における溶融塗装材除去治具。
【請求項６】
前記筒状挿入支持部材の外周には、前記開放口を気密に塞ぐ閉塞部材が設けられることを特徴とする請求項４又は５に記載された内面塗装鋼管における溶融塗装材除去治具。
【請求項７】
前記捕集ネットは、前記溶融塗装材を静電吸着する帯電性繊維からなることを特徴とする請求項４〜６のいずれかに記載された内面塗装鋼管における溶融塗装材除去治具。
【発明の詳細な説明】
【技術分野】
【０００１】
本発明は、内面塗装鋼管を溶接等で加熱した場合に発生する溶融塗装材を活管状態で除去する方法及びそれに用いられる除去治具に関するものである。
【背景技術】
【０００２】
ガス導管等に採用される鋼管には一般に腐食（錆）防止のための内面塗装が施されている。このため、このような内面塗装が施されたガス導管の接合に際しては、通常接合端部の内面塗装を除去した後に溶接によって接合することが行われている。これによると、溶接の熱で加熱される部分には塗装材が存在しないので、溶接の熱で塗装材が溶融して導管内に流出することは無い。また、前述したように内面塗装を除去することができない場合等には、溶融塗装材が管内に流出することを避けるために、溶接による接合は行わず、メカニカル継手による接合が一般に行われている（例えば、特許文献１参照）。
【０００３】
【特許文献１】実開平５−７７６８８号公報
【発明の開示】
【発明が解決しようとする課題】
【０００４】
管路の接合に対して充分高い気密性を得るためには、溶接による接合が最も信頼性が高いことは言うまでもない。また、前述のような管路端部の接合であれば、内面塗装を除去することができるが、以下に説明する分岐工事で用いられる穿孔プラグの接合のように、内面塗装を除去することができない場合もある。
【０００５】
図１は、内面塗装鋼管の分岐工事を説明する説明図である。先ず、分岐管を接続するガス導管Ａ（Ａ１，Ａ２）に対して、同図（ａ）に示すように、分岐部分の上流・下流両側に穿孔ａ１，ａ２を形成し、そこから挿入したガスバッグＧを膨らませてガスの流通を遮断する。その後、分岐部分の上流側と下流側を連通するバイパス通路Ｃを形成し、分岐部分を切断する。そして、同図（ｂ）に示すように、切断端部及び分岐継手の内面塗装を除去した塗装除去部ｓを形成して、この切断端部と分岐継手端部Ｂ１を溶接によって接合して分岐管路Ｂを形成する。分岐管路Ｂが形成された後には、遮断用のガスバッグＧを取り除き、下流側及び分岐側にガスを流通させ、そのガス流通状態で穿孔ａ１，ａ２及びバイパス通路Ｃの連通孔を穿孔プラグＰ１，Ｐ２，Ｐ３，Ｐ４で塞ぐ（同図（ｃ）参照）。
【０００６】
このような穿孔プラグＰ１〜Ｐ４を螺子及びＯリングを用いたメカニカル継手で塞ぐことも行われているが、より高い気密性を得るためには、穿孔プラグＰ１〜Ｐ４を溶接によって管路に接合することが好ましい。
【０００７】
しかしながら、前述した穿孔プラグＰ１〜Ｐ４を溶接によって管路に接合する場合には、この溶接による加熱で管路の内面塗装が溶融し、溶融した塗装材Ｍがミスト状になってガス導管を下流側に流出する現象が生じる（図１（ｃ）参照）。また、前述したような穿孔プラグの接合においては、その周辺の内面塗装を除去することが極めて困難である。
【０００８】
そして、流出した溶融塗装材Ｍは、下流側のガスメータやガス機器に付着して弁の作動不良等の不具合を起こすことがあるので、このような内面塗装を除去できない状況での溶接作業においては、溶融塗装材を如何に下流側に流さないかが大きな課題になっている。現状では、下流側へのガス供給を一時制約して導管内の溶融塗装材を大気放出することがなされているが、これによると工事に伴って下流側のガス供給先に影響が出るので好ましくない。
【０００９】
また、このような問題は、前述した分岐管工事に限らず、内面塗装鋼管からなる導管の外表面を何らかの目的で加熱した場合にも同様の問題が生じることになる。
【００１０】
本発明は、このような問題に対処するために提案されたものであって、内面塗装鋼管を溶接等で加熱した場合に発生する溶融塗装材を下流側のガス供給に影響しない活管状態で除去することを目的とする。
【課題を解決するための手段】
【００１１】
本発明は、前述の目的を達成するために、以下の特徴を具備するものである。
【００１２】
一つには、内面塗装鋼管内に流出する溶融塗装材を除去する方法であって、前記内面塗装鋼管を用いたガス導管に対する加熱工事に際して、該加熱工事が行われている箇所の下流側に付設されている路線バルブを開放し、該路線バルブの開放口から、該開放口を塞ぎながら前記溶融塗装材を捕集する捕集用治具を挿入することを特徴とする。
【００１３】
また一つには、前述した特徴と併せて、前記捕集用治具は、静電吸着によって前記溶融塗装材を吸着除去することを特徴とする。
【００１４】
また一つには、前述した特徴と併せて、前記捕集用治具は、前記開放口から挿入される時には前記開放口を通過するように線状に変形可能であり、挿入後に前記ガス導管の内面に沿って拡がるように変形可能である捕集ネットからなることを特徴とする。
【００１５】
更には、内面塗装鋼管内に流出する溶融塗装材を除去する治具であって、前記内面塗装鋼管を用いたガス導管に付設される路線バルブの開放口から挿入可能な挿入支持部材と、先端側が前記挿入支持部材の先端に支持され、他端側が前記挿入支持部材に沿って摺動可能なネット支持部材と、該ネット支持部材に周囲が支持された捕集ネットとを備え、前記ネット支持部材は、前記開放口から前記捕集ネットが挿入される時に前記開放口を通過するように前記挿入支持部材に沿って線状に変形可能であり、挿入後に前記ガス導管の内面に沿って拡がるように変形可能であることを特徴とする。
【００１６】
また一つには、前述した特徴と併せて、前記挿入支持部材は、前記開放口に挿通可能な筒状挿入支持部材と、該筒状挿入支持部材内を摺動可能な棒状挿入支持部材からなり、前記ネット支持部材は、一対の弾性変形可能な線状部材からなり、突出した前記棒状挿入支持部材の先端に一端側が支持され、他端側が前記筒状挿入支持部材に支持されて、前記挿入支持部材の前記開放口外に突出する端部には、前記棒状挿入支持部材に対して前記筒状挿入支持部材を摺動操作する操作部が設けられることを特徴とする。
【００１７】
また一つには、前述した特徴と併せて、前記筒状挿入支持部材の外周には、前記開放口を気密に塞ぐ閉塞部材が設けられることを特徴とする。
【００１８】
また一つには、前述した特徴と併せて、前記捕集ネットは、前記溶融塗装材を静電吸着する帯電性繊維からなることを特徴とする。
【発明の効果】
【００１９】
本発明は、前述した特徴を有するので、内面塗装鋼管を溶接等で加熱した場合に発生する溶融塗装材を下流側のガス供給に影響しない活管状態で除去することができる。これによって、内面塗装鋼管の加熱を伴う工事に際しても、溶融塗装材の付着によってガス機器等が不具合を起こすことが無く、また、工事に伴って下流側のガス供給に支障がでることもない。
【発明を実施するための最良の形態】
【００２０】
以下、本発明の実施形態を図面に基づいて説明する。図２は、本発明の実施形態に係る溶融塗装材除去方法の概要を説明する説明図である。本発明の実施形態は、内面塗装鋼管内に流出する溶融塗装材を除去する方法であって、内面塗装鋼管が何らかの工事で加熱された場合にミスト状に管内に発生する溶融塗装材を除去するための方法である。すなわち、内面塗装鋼管を用いたガス導管１に対して、工事箇所Ｗで加熱を伴う工事が成されている場合に、この工事箇所Ｗの下流側（矢印がガスの流れる方向を示している）に付設されている路線バルブ１Ｖを開放し、路線バルブ１Ｖの開放口から、開放口を塞ぎながら溶融塗装材を捕集する捕集用治具を挿入することで、内面塗装鋼管内に流出する溶融塗装材を除去する。
【００２１】
より具体的には、前述した路線バルブ１Ｖの開放口として、図３に示すように、路線バルブ１Ｖの放散管取り出し口１Ａを利用することができる。すなわち、路線バルブ１Ｖの放散管取り出し口１Ａを開放して、その開放口から捕集用治具１０を挿入する。図示の例は、路線バルブ１Ｖとしてボールバルブを利用した例を示している。このボールバルブは球状弁座１Ｖ１とこの球状弁座１Ｖ１を操作する操作部１Ｖ２を備えるものであり、この球状弁座１Ｖ１の前後両側に放散管１Ｖ３を取り付ける放散管取り出し口１Ａが設けられている。この放散管取り出し口１Ａの一方から放散管１Ｖ３を取り外すことで形成される開放口から捕集用治具１０を挿入する。
【００２２】
この捕集用治具１０は、前述した開放口から挿入される時にはこの開放口を通過するように線状に変形可能であり、挿入後にガス導管１の内面に沿って拡がるように変形可能である捕集ネットからなる。図４は、この捕集用治具１０の具体例を示した説明図である。
【００２３】
図４において、同図（ａ）は捕集用治具１０を開放口から挿入する際の変形状態を示したものであり、同図（ｂ）は捕集用治具１０を開放口から挿入した後の変形状態を示したものである。この具体例では、捕集用治具１０は、挿入支持部材１１、ネット支持部材１２、捕集ネット１３を備える。
【００２４】
挿入支持部材１１は、前述した路線バルブ１Ｖの開放口から挿入可能なものであって、開放口に挿通可能な外径を有する筒状挿入支持部材１１Ａと、この筒状挿入支持部材１１Ａ内を摺動可能な棒状挿入支持部材１１Ｂと、操作部１１Ｃとからなる。
【００２５】
ネット支持部材１２は、捕集ネット１３の外縁を支持するものであって、一対の弾性変形可能な線状部材１２Ａ，１２Ｂからなり、突出した棒状挿入支持部材１１Ｂの先端に線状部材１２Ａ，１２Ｂの一端側が支持され、線状部材１２Ａ，１２Ｂの他端側が筒状挿入支持部材１１Ａに支持されている。挿入支持部材１１の開放口外に突出する端部には、棒状挿入支持部材１１Ｂに対して筒状挿入支持部材１１Ａを摺動操作する操作部１１Ｃが設けられている。更に、筒状挿入支持部材１１Ａの外周には、前述の開放口を気密に塞ぐ閉塞部材１４が設けられている。
【００２６】
この具体例においては、棒状挿入支持部材１１Ｂの上端部外周には、ネジ部１１Ｂａが設けられており、このネジ部１１Ｂａに操作部１１Ｃの内ネジ部１１Ｃａが螺合して、操作部１１Ｃを棒状挿入支持部材１１Ｂに沿って摺動自在にしている。また、操作部１１Ｃの下端が筒状挿入支持部材１１Ａの上端に当接しており、操作部１１Ｃを筒状挿入支持部材１１Ａに沿って摺動させることで、線状部材１２Ａ，１２Ｂの弾性で上方に付勢された筒状挿入支持部材１１Ａを棒状挿入支持部材１１Ｂに沿って摺動自在にしている。
【００２７】
そして、操作部１１Ｃが棒状挿入支持部材１１Ｂの上端に位置する図４（ａ）の状態では、線状部材１２Ａ，１２Ｂが挿入支持部材１１に沿って線状に変形した状態になっており、同図（ｂ）に示すように、操作部１１Ｃを棒状挿入支持部材１１Ｂに沿って下方に摺動させると、筒状挿入支持部材１１Ａの下端に上端が支持された線状部材１２Ａ，１２Ｂが湾曲して、ガス導管１の内面に沿って拡がるように円形に変形する。
【００２８】
すなわち、捕集用治具１０を開放口から挿入する時には、図４（ａ）に示す状態でネット支持部材１２を線状に変形して捕集ネット１３を開放口から挿入し、挿入後には図４（ｂ）に示す状態にして、捕集ネット１３を拡げてガス導管１の内面全体を捕集ネット１３が覆うようにする。この際、筒状挿入支持部材１１Ａの外周に設けられた閉塞部材１４によって開放口は気密に塞がれており、開放口からガス導管１を流通するガスが放出されることを防いでいる。
【００２９】
図５は、本発明の他の実施形態であって、前述した路線バルブ１Ｖとして分岐遮断バルブを利用した場合の実施形態である。ここでは、ガス導管１から分岐する分岐導管２における取り付けフランジ２Ａに取り付けられる分岐遮断バルブ２Ｖを開放して、その開放口から捕集用治具１０を挿入するものである。
【００３０】
分岐遮断バルブ２Ｖは、弁体２Ｖ１とバルブ本体２Ｖ２からなり、弁体２Ｖ１を全開にした状態の開放口を利用して、そこから捕集用治具１０を挿入する。この際、捕集用治具１０には、ノーブローカップ１５が装備されており、このノーブローカップ１５の内面に気密に当接するように閉塞部材１４０が設けられる。この閉塞部材１４０は、ノーブローカップ１５の内面に密着すると共に、分岐導管２の内面に密着して分岐導管２を気密に塞ぐものであるから、前述した実施形態の閉塞部材１４と異なる形態を有している。捕集用治具１０の他の構造は前述した実施形態と同様であって、同一符号を付して重複説明を省略する。
【００３１】
このような実施形態においては、分岐遮断バルブ２Ｖの弁体２Ｖ１を完全に閉じた状態で上端を開放して、その上端に捕集用治具１０が装備されたノーブローカップ１５を被せる。この際、ノーブローカップ１５の上端開孔１５ａから挿入支持部材１１の上端が突出するように配備され、ノーブローカップ１５の内面には閉塞部材１４０の外縁が密着している。
【００３２】
そして、図５（ａ）に示すように、分岐遮断バルブ２Ｖの弁体２Ｖ１を全開にして、その開放口から捕集用治具１０の下端を挿入する。この際、閉塞部材１４０がノーブローカップ１５の内面に密着しているので上端開孔１５ａからガスが漏れることはない。更に、捕集用治具１０の閉塞部材１４０が弁体２Ｖ１の開放口を通過して、分岐導管２を閉塞する状態になるまで捕集用治具１０を挿入させる。そして、図５（ｂ）に示すように、操作部１１Ｃを下方に摺動させて、前述した実施形態と同様にネット支持部材１２を円形状に変形させ、これによってガス導管１の管内全体を捕集ネット１３が覆うようにする。
【００３３】
前述した各実施形態における捕集ネット１３は、ミスト化された溶融塗装材がそこから下流に流れ込まないように捕集できるものであればどのようなものであってもよいが、特には、静電吸着によって溶融塗装材を吸着除去できるものが有効である。具体的には、ポリエチレン繊維，ポリアミド繊維等の帯電性繊維を用いて、ミスト化された溶融塗装材の帯電極性と逆極性に帯電させた合成樹脂繊維を単層又は多層のメッシュ状に編み上げたもの等を用いることができる。
【００３４】
このような実施形態によると、工事箇所Ｗで内面塗装鋼管が加熱されてミスト状の溶融塗装材が管内に発生した場合にも、工事箇所Ｗの下流側においてガス導管１の内面に沿って捕集ネット１３を拡げているので、ガスの流通に伴って下流側に流れる溶融塗装材をこの捕集ネット１３で確実に捕集除去することができる。この際、工事中には工事箇所Ｗの下流側の路線バルブ１Ｖ，２Ｖを開放して捕集ネット１３を備える捕集用治具１０を挿入することになるが、捕集ネット１３を通過してそれより下流側にも通常どおりのガス供給を行うことができるので、工事箇所Ｗの下流側へのガス供給に影響がでることもない。
【００３５】
また、捕集用治具１０が挿入される路線バルブ１Ｖ，２Ｖは、開放口が捕集用治具１０の閉塞部材１４で塞がれるので、活管状態での工事及び溶融塗装材の捕集除去に際しても、周囲にガスが流出することがない。更には、捕集用治具１０の挿入をガス導管１における既存の設備である路線バルブ１Ｖ，２Ｖを活用して行うので、新たにガス導管１に開孔を形成するなどの追加工事が不要であり、また、その追加工事に伴う溶融塗装材の発生を考慮する必要がない。
【図面の簡単な説明】
【００３６】
【図１】内面塗装鋼管の分岐工事を説明する説明図である。
【図２】本発明の実施形態に係る溶融塗装材除去方法の概要を説明する説明図である。
【図３】本発明の実施形態に係る溶融塗装材除去方法の具体例を説明する説明図である。
【図４】本発明の実施形態に係る溶融塗装材除去治具の具体例を説明する説明図である。
【図５】本発明の実施形態に係る溶融塗装材除去方法の他の具体例を説明する説明図である。
【符号の説明】
【００３７】
１    ガス導管
１Ａ    放散管取り出し口
１Ｖ１    球状弁座
１Ｖ２    操作部
１Ｖ，２Ｖ    路線バルブ
２    分岐導管
１０    捕集用治具
１１    挿入支持部材
１１Ａ    筒状挿入支持部材
１１Ｂ    棒状挿入支持部材
１１Ｃ    操作部
１２    ネット支持部材
１２Ａ，１２Ｂ    線状部材
１３    捕集ネット
１４    閉塞部材
１５    ノーブローカップ
【図１】
2006326533.tif 000003
【図２】
2006326533.tif 000004
【図３】
2006326533.tif 000005
【図４】
2006326533.tif 000006
【図５】
2006326533.tif 000007